(57)【要約】【課題】シームレスにアングル変更できる放送送受信システム等を得る。【解決手段】撮像対象物１５を異なる角度で撮像した複数の映像信号を送信する送信部１と、受信部７の映像合成部１０が、複数の映像Ａ、Ｂの映像信号に基づいて別角度による新たな映像Ｃの映像信号を作成し、映像表示部１１が表示することにより、シームレスなアングル（角度）の変更を可能とするものである。また、このような映像信号を多くすることにより、より正確で、多面的な映像表示を行うようにする。【選択図】　　　　図１
2004023694.tif 000002
【特許請求の範囲】
【請求項１】
撮像対象物を異なる角度で撮像した複数の映像信号を送信する放送送信装置と、
前記複数の映像信号に基づいて別角度による新たな映像信号を作成し、表示する放送受信装置と
を備えたことを特徴とする放送送受信システム。
【請求項２】
前記放送送信装置は、前記撮像対象物を異なる角度からそれぞれ撮像を行う複数の撮像手段を備えたことを特徴とする請求項１記載の放送送受信システム。
【請求項３】
撮像対象物を異なる角度で撮像した複数の映像を表す信号のうち、選択された任意の２つの信号に基づいて、前記２つの映像の間にある別の角度からの映像信号を作成する放送受信装置。
【請求項４】
前記別の角度からの映像信号を作成する際に、選択されなかった複数の映像信号を参照して作成することを特徴とする請求項３記載の放送受信装置。
【発明の詳細な説明】
【０００１】
【発明の属する技術分野】
本発明は映像データを含む信号をデジタルインターフェースを介してやりとりする映像データ送信装置又は受信装置を有するシステム等に関するものである。
【０００２】
【従来の技術】
近年、デジタルデータによる映像、音声等の配信、多重化等により、多チャネルの放送が実現されつつある。このような多チャネル化が実現されると、例えばマルチアングルによる映像の配信が可能となる。
【０００３】
例えば特開平８−３２８８７号公報には、同一番組を異なるアングルからとらえた各映像データを複数のプログラムでデジタル放送し、所望のアングルに対応したプログラムを選択できるデジタル放送送受信システムが記載されている。
【０００４】
【発明が解決しようとする課題】
このように、マルチアングル放送では、視聴者はある番組（プログラム）の複数のアングルからの映像データを含む信号が複数のチャネルによりそれぞれ送信され、そのうちの１つのチャネルを選択することで、あるアングル（角度）からの映像を視聴することができる。
【０００５】
ただ、このような場合、アングルの変更には一度チャネルの切り替えを行わなければならない。また、２つのアングル間の映像を表示することはできないという問題があった。
【０００６】
そこで、この発明は上記のような課題を解決するためになされたものであり、シームレスにアングル変更できる放送送受信システム等を得ることを目的とするものである。
【０００７】
【課題を解決するための手段】
本発明に係る放送送受信システムは、撮像対象物を異なる角度で撮像した複数の映像信号を送信する放送送信装置と、複数の映像信号に基づいて別角度による新たな映像信号を作成し、表示する放送受信装置とを備えたものである。
【０００８】
また、本発明に係る放送送受信システムの放送送信装置は、同一対象物を異なる角度からそれぞれ撮像を行う複数の撮像手段を備えたものである。
【０００９】
また、本発明に係る放送受信装置は、撮像対象物を異なる角度で撮像した複数の映像を表す信号のうち、選択された任意の２つの信号に基づいて、２つの映像の間にある別の角度からの映像信号を作成する。
【００１０】
また、本発明に係る放送受信装置は、別の角度からの映像信号を作成する際に、選択されなかった複数の映像信号を参照して作成する。
【００１１】
【発明の実施の形態】
図１はこの発明の実施の形態を示す放送送受信システムの全体構成図である。図１において、１はデジタル放送送受信システムの送信部である。送信部１は、撮像手段２、デジタル放送送信手段５で構成される。撮像部２はカメラ等で構成され、撮像対象物を撮像し、映像信号に変換して送信する。デジタル放送送信手段５は、さらに符号化部３、データ多重化部４で構成される。符号化部３は撮像部２から送信された映像信号を符号化し、圧縮処理した映像データを作成する。データ多重化部４は、符号化、圧縮された複数分の映像データを多重化した多重化データを含む信号を伝送路６に送信する。
【００１２】
一方、７はデジタル放送送受信システムの受信部である。受信部７は、映像表示手段１１及びデジタル放送受信手段１２で構成される。映像表示手段１１は、送信された映像信号に基づいた表示を行う。デジタル放送受信手段１２は、さらにデータ分離部８、復号化部９及び映像合成部１０で構成される。データ分離部８は、伝送路６から送信された多重化データを含む信号に基づいて、複数の映像データに分離処理する。復号化部９は、符号化及び圧縮された映像データを復号化し、映像信号を作成する。映像合成部１０は複数の映像信号と共に、複数の映像信号に基づいて合成し、構築した新たな映像に基づく映像信号を送信する。また、６は送信部１から受信部７に多重化データを含む信号を送信するための伝送路である。
【００１３】
図２は送信部１を中心に表した図である。本実施の形態では、撮像手段２はカメラ１３及びカメラ１４で構成されるものとする。また、１５は撮像対象である。ここで、カメラ１３の撮像による映像を映像Ａとし、カメラ１４の撮像による映像を映像Ｂとする。
【００１４】
図３は受信部７を中心に表した図である。図３において、映像合成部１０は、動き予測等により、映像Ｃを新たに作成し、その映像信号を送信する。
【００１５】
次に図１、図２及び図３に基づいてシステムの動作に説明する。図２に示すように、２台のカメラ１３、１４は、同一の撮像対象１５を撮像したそれぞれ映像Ａ、映像Ｂの映像信号を符号化部３に送信する。符号化部は、それぞれの映像信号に基づいて符号化及び圧縮処理し、映像データを作成する。データ多重化部４は、少なくとも映像Ａの映像データ、映像Ｂの映像データを多重化した多重化データを含む信号を伝送路６に送信する。
【００１６】
図３に示すように、データ分離部は８は、多重化データに基づいて、複数の映像データに分離処理を行う。復号化部９では、各映像データを復号処理し、それぞれの映像信号を作成する。次に映像合成部１０は、復号された映像Ａの映像信号及び映像Ｂの映像信号に基づいて、動き予測等の手法により、映像Ａ及び映像Ｂの間を補間する新たな映像Ｃの映像信号を合成・構築する。そして、映像信号を映像表示部１１に送信し、表示させる。ここで、映像表示手段１１においては、新たに構築された映像Ｃだけでなく、基となった映像Ａ及び映像Ｂも表示できる。
【００１７】
例えば、視聴者がアングルの移動変更を指示した場合には、その指示に基づいて、映像Ｃの映像信号を再合成処理し、映像Ａと映像Ｂとの間でのアングルの変更を行うことができる。
【００１８】
ここで、撮像部２のカメラの台数が増える、つまり受信側に送られる映像データの数が増えれば、新たな映像信号の合成・構築をより正確に行うことができる。また、アングル間の情報量が増えるので、よりシームレスに（継ぎ目のない）アングル変更を行うことができる。
【００１９】
以上のように本実施の形態によれば、カメラ１３及び１４で同一対象を撮像してそれぞれの映像信号に基づく送信を行い、受信部７では、その間を補間したアングルの映像Ｃの映像信号を作成して表示させるようにしたので、様々なアングルからの映像をシームレスに視聴することができる。なお、本実施の形態は本発明の１例を示したに過ぎず、本発明は上記実施の形態に限定されるものではないことは言うまでもない。また、上記のような視聴を行うには、上記した処理を行う特殊な受信機を必要とするが、各プログラムの映像自体は、従来の放送と何ら変わりないので、従来の１プログラムのみを受信し表示する受信機でも、本発明の放送方式による放送の、各プログラム毎の映像を表示することは可能であり、プログラムを視聴者が切り替えることにより、従来どおりのアングル切替を行うことができる。すなわち、本発明のデジタル放送送受信方式は、従来の放送方式と互換性が高い。
【００２０】
【発明の効果】
以上のように本発明によれば、放送送信装置により送信された撮像対象物を異なる角度で撮像した複数の映像信号に基づいて、放送受信装置が、別角度による新たな映像信号を作成し、表示するようにしたので、様々なアングルからの映像をシームレスに視聴することができる。
【００２１】
また、本発明によれば、複数の撮像手段により撮像対象物を異なる角度から撮像するようにしたので、より正確な撮像を行うことができる。
【００２２】
また、本発明によれば、撮像対象物を異なる角度で撮像した複数の映像を表す信号の任意の２つの信号に基づいて、別の角度からの映像信号を作成する用にしたので、様々なアングルからの映像をシームレスに視聴することができる。
【００２３】
また、本発明によれば、別の角度からの映像信号を作成する際に、選択されなかった複数の映像信号を参照して作成するようにしたので、より正確な映像の作成を行うことができる。
【図面の簡単な説明】
【図１】この発明の実施の形態を示す放送送受信システムの全体構成図である。
【図２】送信部１を中心に表した図である。
【図３】受信部７を中心に表した図である。
【符号の説明】
１　送信部、２　撮像手段、３　符号化部、４　データ多重化部、５　デジタル放送送信手段、６　伝送路、７　受信部、８　データ分離部、９　復号化部、１０　映像合成部、１１　映像表示手段、１２　デジタル放送受信手段、１３、１４　カメラ、１５　撮像対象。
【図１】
2004023694.tif 000003
【図２】
2004023694.tif 000004
【図３】
2004023694.tif 000005